(57)【要約】【課題】スピーカ性能改善のための減衰型拡張ダクトを提供する。【解決手段】音響出力開口を有するエンクロージャー及び該エンクロージャー内に配置されたスピーカを備えた電子オーディオ装置。スピーカ及び音響出力開口は、音響出力経路により音響的に結合される。音響出力経路は、音響出力経路の共振周波数を減衰するための減衰チャンバーを含む。スピーカは、減衰チャンバーと音響出力開口との間にある。【選択図】図１
2015073323.tif 000002
【特許請求の範囲】
【請求項１】
音響出力開口を有するエンクロージャーと、
前記エンクロージャー内に位置されたスピーカと、
前記スピーカを前記音響出力開口に接続する音響出力ダクトであって、前記スピーカから上流の位置に減衰チャンバーを、且つ前記スピーカから下流の位置に出口ポートを有し、そして長さが巾より大きくされた音響出力ダクトと、
を備えた電子オーディオ装置。
【請求項２】
前記スピーカから放射されるある周波数の音波を減衰するために前記減衰チャンバー内に位置された音響減衰材を更に備えた、請求項１に記載の電子オーディオ装置。
【請求項３】
前記減衰チャンバーを形成する壁の一部分は、音響減衰材で作られる、請求項１に記載の電子オーディオ装置。
【請求項４】
前記音響出力ダクトは、細長いチャンネルを含み、そのチャンネルのフェースに沿って開口があって、前記スピーカを受け入れ、更に、前記減衰チャンバーは、その細長いチャンネルの端に形成される、請求項１に記載の電子オーディオ装置。
【請求項５】
前記音響出力ダクトは、細長いチャンネルを含み、その両端を接続するフェースがあり、前記スピーカ及び減衰チャンバーは、そのチャンネルのフェースに沿って位置される、請求項１に記載の電子オーディオ装置。
【請求項６】
前記減衰チャンバーは、チャンバー部分、及び減衰材が位置されたネック部分を備え、そのネック部分は、前記音響出力ダクトの第１の共振周波数を減衰する大きさにされる、請求項１に記載の電子オーディオ装置。
【請求項７】
前記減衰チャンバーは、第１の減衰チャンバーであり、そして前記電子装置は、更に、前記音響出力ダクトの第２の共振周波数を減衰する大きさにされた第２の減衰チャンバーも備えている、請求項６に記載の電子オーディオ装置。
【請求項８】
前記音響出力ダクトは、細長いチャンネルを含み、そのチャンネルの両端を接続するフェースがあって、そのチャンネルのフェース内に前記出口ポートが形成される、請求項１に記載の電子オーディオ装置。
【請求項９】
前記音響出力ダクトの長さは、その巾の少なくとも２倍である、請求項１に記載の電子オーディオ装置。
【請求項１０】
前記音響出力ダクト及び減衰チャンバーは、単一の一体成形された構造である、請求項１に記載の電子オーディオ装置。
【請求項１１】
音響出力開口を有するエンクロージャーと、
前記エンクロージャー内に位置されたスピーカと、
前記スピーカを前記音響出力開口に音響的に結合する音響出力経路であって、長さが巾より大きくされた音響出力経路と、
前記音響出力経路の音響応答を減衰するために前記音響出力経路に接続された減衰チャンバーと、
を備え、前記減衰チャンバーと前記音響出力開口との間に前記スピーカがあるようにした電子オーディオ装置。
【請求項１２】
前記減衰チャンバー内に位置された音響減衰材を更に備えた、請求項１１に記載の電子オーディオ装置。
【請求項１３】
前記減衰チャンバーの一部分は、音響減衰材によって形成される、請求項１１に記載の電子オーディオ装置。
【請求項１４】
前記音響出力経路は、細長いチャンネルを含み、該チャンネルのフェースに沿って開口があって前記スピーカを受け入れ、更に、前記減衰チャンバーは、その細長いチャンネルの端に形成される、請求項１１に記載の電子オーディオ装置。
【請求項１５】
前記音響出力経路は、細長いチャンネルを含み、該チャンネルの両端を接続するフェースがあり、前記スピーカ及び減衰チャンバーは、そのチャンネルのフェースに沿って位置される、請求項１１に記載の電子オーディオ装置。
【請求項１６】
前記減衰チャンバーは、チャンバー部分、及び減衰材が位置されたネック部分を備え、そのネック部分は、前記音響出力経路の第１の共振周波数を減衰する大きさにされる、請求項１１に記載の電子オーディオ装置。
【請求項１７】
前記減衰チャンバーは、第１の減衰チャンバーであり、そして前記電子装置は、更に、前記音響出力経路の第２の共振周波数を減衰する大きさにされた第２の減衰チャンバーも備えている、請求項１６に記載の電子オーディオ装置。
【請求項１８】
前記音響出力ダクトは、細長いチャンネルを含み、そのチャンネルの両端を接続するフェースがあって、そのチャンネルのフェース内に前記出口ポートが形成される、請求項１１に記載の電子オーディオ装置。
【請求項１９】
音響出力開口を有するエンクロージャーと、
前記エンクロージャー内に位置するフレーム内にマウントされたスピーカと、
前記スピーカを前記音響出力開口に音響的に結合する音響出力ダクトであって、該音響出力ダクトの両端を互いに接続するフェース、及び該フェース内にあって、前記スピーカから出力された音波が音響出力ダクトに入るときに通る開口を含むものである音響出力ダクトと、
前記音響出力経路の音響応答を減衰するために前記音響出力経路の両端の一方に接続された減衰チャンバーと、
を備え、前記スピーカは、前記減衰チャンバーと前記音響出力開口との間にあり、そして前記音響出力ダクト、減衰チャンバー及びフレームは、単一ユニットとして前記エンクロージャーと一体的に形成された、電子オーディオ装置。
【請求項２０】
エンクロージャーであって、該エンクロージャーの音響出力開口にスピーカを接続する音響出力ダクトによりその音響出力開口にスピーカが音響的に結合され、該音響出力ダクトは、スピーカより上流の位置に減衰チャンバーを、且つスピーカより下流の位置に出口ポートを有しているようなエンクロージャーと、
オペレーティングシステムプログラムを記憶するメモリと、
前記メモリに結合されて、前記オペレーティングシステムプログラムを実行し、そしてオーディオ信号をスピーカへ送信するプロセッサと、
を備えた電子オーディオシステム。
【発明の詳細な説明】
【技術分野】
【０００１】
本発明は、一般的に、スピーカ性能改善のための減衰型拡張ダクトに関する。
【背景技術】
【０００２】
近代的な消費者電子装置では、デジタルオーディオ信号処理及びオーディオコンテンツ配信の改善が続けられているので、オーディオ能力が益々大きな役割を演じている。ある範囲の消費者向け電子装置は、専用又は特殊なオーディオ再生装置ではなく、依然、オーディオ性能の改善から利益が得られるものである。例えば、内蔵スピーカをもつスマートホンや、ラップトップ、ノートブック及びタブレットコンピュータのようなポータブルパーソナルコンピュータや、デスクトップパーソナルコンピュータがある。最適なサウンド出力を促進するようにそのような装置にスピーカを一体化することが課題である。例えば、視野から隠れるように装置にスピーカが組み込まれる場合は、スピーカから出力される音波は、装置から出る前にエンクロージャー内をある距離だけ進行しなければならない。
サウンドが進行する経路には、装置からの出力を周波数と共に変化させる共振が関連している。特に、ある周波数では、装置は、所与の入力電力に対して多量の出力サウンド電力を有し（経路の共振）、そして他の周波数では、システムは、所与の電力に対してサウンド電力出力をほとんどもたない（ダクトの反共振）。これらの変化は音質低下を招く。
【発明の概要】
【０００３】
本発明の一実施形態は、音響出力開口を有するエンクロージャー及び該エンクロージャー内に配置されたスピーカを備えた電子オーディオ装置である。スピーカは、音響出力経路により音響出力開口へ音響的に結合される。音響出力経路は、任意のサイズ又は形状を有し、ある実施形態では、ダクトである。１つ以上の減衰チャンバーがスピーカより上流の位置において音響出力経路又はダクトに接続される。１つ以上の減衰チャンバーは、経路の共振周波数を減衰し、及び／又はスピーカにより発生された音波を吸収する音響減衰材料を含む。減衰チャンバーは、スピーカより上流に配置されているので、スピーカから下流に音響出力開口に向けて進行する音波を妨げることはない。むしろ、減衰チャンバーは、スピーカに向けて上流方向に音響出力開口により反射された音波を吸収する。ある実施形態では、減衰チャンバーは、音響出力経路の特定の共振周波数を減衰する大きさにされたネック部分を有する。付加的な減衰チャンバーが設けられる実施形態では、各減衰チャンバーは、音響出力経路の異なる共振周波数を減衰するように同調される。
【０００４】
以上の概要は、ここに開示する実施形態の全ての態様を余すところなく含むものではない。それらの実施形態は、以上に概要を述べた種々の態様の全ての適当な組み合わせから具現化される全てのシステム及び方法、並びに以下の詳細な説明に開示されて特許請求の範囲に特に指摘されたものを包含することが意図される。そのような組み合わせは、以上の概要に特に記載されない特定の効果を有するものである。
【０００５】
ここに開示された実施形態は、同様の要素が同じ参照番号で示された添付図面に一例として示されるが、それに限定されるものではない。この開示において「一実施形態」又は「１つの実施形態」とは、必ずしも同じ実施形態ではなく、それらは、少なくとも１つを意味することに注意されたい。
【図面の簡単な説明】
【０００６】
【図１】音響出力経路及び減衰チャンバーを有する電子装置の実施形態の側面断面図である。
【図２】図１の音響出力経路及び減衰チャンバーの背面図である。
【図３】音響出力経路及び減衰チャンバーの実施形態の側面断面図である。
【図４】音響出力経路及び減衰チャンバーの一実施形態の側面断面図である。
【図５】電子装置の一実施形態の構成コンポーネントの幾つかを示すブロック図である。
【図６】電子装置の別の実施形態の構成コンポーネントの幾つかを示すブロック図である。
【発明を実施するための形態】
【０００７】
ここでは、添付図面を参照して幾つかの好ましい実施形態を説明する。実施形態に述べる部分の形状、相対的な位置及び他の態様が明確に定義されないときは、実施形態の範囲は、図示された部分のみに限定されず、それらは、説明上のものに過ぎない。又、多数の細部について述べるが、ある実施形態は、それらの細部なしに実施できることを理解されたい。他の点については、この説明の理解を妨げないように、良く知られた構造及び技術は詳細に示さない。
【０００８】
図１は、音響出力経路及び減衰チャンバーを有する電子オーディオ装置の一実施形態の側面断面図である。ある実施形態では、電子オーディオ装置１００は、デスクトップコンピュータである。更に別の実施形態では、電子オーディオ装置１００は、内蔵スピーカを有する形式の電子装置であり、例えば、スマートホンや、ラップトップ、ノートブック又はタブレットコンピュータのようなポータブルパーソナルコンピュータや、ポータブルラジオ、カセット又はコンパクトディスク（ＣＤ）プレーヤである。更に、電子オーディオ装置１００は、テレビ又はＤＶＤプレーヤ又は双方向ビデオゲーム機のようなテレコミュニケーション装置である。電子オーディオ装置１００は、種々の電子装置コンポーネント、例えば、ユーザ１３０が見るフラットパネル液晶ディスプレイ（ＬＣＤ）のようなディスプレイ１２８、及びスピーカ１０２を収容するエンクロージャー１０２を備えている。
スピーカ１０２は、スピーカエンクロージャーに使用される典型的な材料、例えば、プラスチックであるフレーム１０６に組み込まれる。フレーム１０６は、エンクロージャー１０２の一部分として一体的に形成されてもよいし、又はエンクロージャー１０２内にマウントされる個別のコンポーネントでもよい。エンクロージャー１０２は、音響出力ポート１０８を備え、スピーカ１０４の音放射面又はフェース１１０から放射された音は、このポートを通して、電子オーディオ装置１００からエンクロージャー１０２の外部環境へと出て行く。
【０００９】
音響出力経路１１２は、スピーカ１０４のフェース１１０から放射された音波１１４を音響出力ポート１０８に向けるために、スピーカ１０４と音響出力ポート１０８との間に形成される。ある実施形態では、音響出力経路１１２は、スピーカ１０４と音響出力ポート１０８との間に音響チャンネルを形成するダクトである。この点において、音響出力経路１１２は、長さが巾より大きい細長いチャンネルである。例えば、図２に示すように、音響出力経路１１２は、巾（ｗ）がスピーカ１０４の直径に実質的に等価であり、そして長さ（ｌ）がスピーカ１０４の直径の少なくとも２倍であり、換言すれば、長さが巾の少なくとも２倍である。他の実施形態では、音響出力経路１１２は、スピーカ１０４と音響出力ポート１０８との間に音波を伝送するのに適した構造、例えば、方形、円形、楕円、又は三角形の形状を有する。
【００１０】
音響出力経路１１２の端は、（経路１１２がエンクロージャー１０２とは個別の構造、例えば、個別のフレーム１０６により形成されるときに）エンクロージャー１０２の音響出力開口１０８と整列される出口ポートを形成し、音響出力経路１１２を通して進行する音波が音響出力開口１０８を通してエンクロージャー１０２から出るようにする。或いは又、音響出力経路１１２は、出口ポート１２６及び音響出力開口１０８が同じ位置となるように、エンクロージャー１０２と一体的に形成されたフレーム１０６によって形成されてもよい。ここに示す実施形態では、音響出力ポート１０８は、音響出力経路１１２の端に整列されたエンクロージャー１０２の底壁の一部分内に形成されて示されているが、音響出力ポートは、エンクロージャー１０２の前壁、後壁又は側壁を通して形成されてもよいことが更に意図される。例えば、音響出力ポートは、エンクロージャー１０２の前壁１２２を通して形成されてもよく、そして経路１１２の端に出口ポート１２６を有するのではなく、出口ポート１２６は、音響出力開口に整列された経路１１２の前面１２０の一部分内に形成されて、スピーカ１０４からの音が装置１００の前部を通して装置１００から出るようにしてもよい。更に、図示されていないが、音響出力経路１１２は、経路１１２を同調するための通気穴を含むことも意図される。
【００１１】
スピーカ１０４のフェース１１０から放出された音波１１４は、音響出力ポート１０８に向かって音響出力経路１１２を下るように進行する。音波１１４が音響出力ポート１０８に到達すると、音波１１４のある部分は、エンクロージャー１０２を出て行き、そして音波１１４のある部分は、音響出力ポート１０８で反射されてスピーカ１１４に向かって上流に伝播して戻る。上流に進行する音波１１４は、スピーカ１０４から上流に音響出力経路１１２の一部分で反射され、そして音響出力ポート１０８に向かって下流に伝播して戻る。音波１１４は、スピーカ１０４と音響出力ポート１０８との間で反発し続ける。音響出力経路１１２をアップ及びダウン方向に音波１１４が反発することは、スピーカ１０４を出る１つの波が、実際には、ある時間にわたって一連の波として音響出力経路１１２を出ることを意味する。しかしながら、前後への音波１１４の反発は、互いに干渉し合うので、装置１００の音質の低下を引き起こす。更に、音響出力経路１１２の共振は、装置１００から出力される音を周波数と共に変化させる。特に、音響出力経路１１２の共振に一致する波周波数は、装置１００から出力される音波を所与の入力電力においてよりパワフルなものにする一方、音響出力経路１１２の共振に一致しない他の周波数では、音波が所与の電力に対して非常に僅かな音電力出力となる（ダクトの反共振）。
【００１２】
それ故、音響出力経路１１２の共振周波数、及びスピーカ１０４と音響出力ポート１０８との間の音波１１４の反発が、装置１００から放射される音の音質に及ぼす影響を最小にするために、減衰チャンバー１１８が設けられる。換言すれば、減衰チャンバー１１８は、音響出力経路１１２の音響応答を減衰する。減衰チャンバー１１８は、音響出力経路１１２の一部分に接続された個別の空洞でもよいし、又は音響出力経路１１２の端で形成されてもよい。減衰チャンバー１１８は、音響出力経路の共振周波数を減衰し、及び／又はスピーカ１０４の上流に音響出力経路１１２内を進行する音波１１４の１つ以上を吸収するのに適したサイズ及び形状を有する。
【００１３】
ある実施形態では、減衰チャンバー１１８は、減衰チャンバー１１８内に配置されて、例えば、接着剤、糊、等で固定された音響減衰材１１６を含む。音響減衰材１１６は、音波を吸収し及び／又は音響出力経路１１２の共振周波数を減衰できる任意の材料である。
適当な音響減衰材は、例えば、スポンジ、ガラスファイバ、発泡材、又は穿孔材料を含むが、これに限定されない。他の実施形態では、減衰チャンバー１１８を形成する壁の１つ以上が音響減衰材で作られる。典型的に、減衰チャンバー１１８は、ガラスファイバ又は他の適当な減衰材料で作られた壁、壁の一部分又は他の構造体を含む。
【００１４】
減衰チャンバー１１８は、スピーカ１０４から上流に音響出力経路１１２に沿った位置に形成され、換言すれば、スピーカ１０４は、減衰チャンバー１１８と音響出力ポート１０８との間に位置される。ある実施形態では、スピーカ１０４は、音響出力経路１１２に沿って、出口ポート１２６（又は音響出力ポート１０８）と減衰チャンバー１１８の閉じた端との間の中間点に位置される。他の実施形態では、スピーカ１０４は、その中間点と減衰チャンバー１１８の閉じた端との間の任意の点において、スピーカ１０４が出口ポート１２６よりも減衰チャンバー１１８の端に接近するように、位置される。
【００１５】
スピーカ１０４は、音響出力経路１１２の両端を接続する音響出力経路１１２のフェース１２０内にマウントされ、そして減衰チャンバー１１８は、出口ポート１２６及び音響出力開口１０８とは反対の音響出力経路１１２の端に形成される。ある実施形態では、フェース１２０は、スピーカ１０４がマウントされるフレーム１０６の辺により形成され、そして音響出力経路１１２の対向フェースは、エンクロージャー１０２によって形成される。他の実施形態では、音響出力経路１１２及び減衰チャンバー１１８は、経路１１２、減衰チャンバー１１８及びフレーム１０６の全系統が同じ材料で作られた１つの一体成形片（例えば、モールド片）となるように、エンクロージャー１０２によって一体的に形成される。減衰チャンバー１１８は、スピーカ１０４より上流にあるので、減衰チャンバー１１８は、音響出力ポート１０８に向かってスピーカ１０４から下流へ進行する音波１１４を妨げることはない。むしろ、減衰チャンバー１１８は、音響出力ポート１０８から上流へ偏向されて戻される音波１１４を吸収して、それらが音響出力経路１１２内を進行する音波１１４を妨げるのを防止する。更に、音響減衰材１１６は、上述したように、音響出力経路１１２の共振を減衰し、装置１００からの音響出力を更に改善する。
【００１６】
図２は、図１の音響出力経路及び減衰チャンバーの背面図である。この図から、スピーカ１０４は、音響出力経路１１２のフェース１２０に沿って形成された開口内にマウントされることが明らかであろう。更に、側壁２０２は、フェース１２０に垂直に延びて、音響出力経路１１２の端に出口ポート１２６を有する細長いチャンネルを形成する。或いは又、出口ポートは、破線で示すように、音響出力経路１１２のフェース１２０を通して形成されてもよい。側壁２０２は、エンクロージャー１０２の後壁１２４の一部分にシールされて、音響出力経路１１２及び減衰チャンバー１１８を形成する。他の実施形態では、上述したように、音響出力経路１１２及び減衰チャンバー１１８は、エンクロージャー１０２により形成されるフレーム１０６によって一体的に形成され、経路１１２及び減衰チャンバー１１８をシールする側壁２０２及び後面がフレーム１０６によって形成されるようにする。ある実施形態では、減衰チャンバー１１８は、音響出力経路１１２に対して軸ずれして形成される。他の実施形態では、減衰チャンバー１１８は、音響出力経路１１２の軸上にあるか又はその軸と整列される。
【００１７】
図３は、音響出力経路及び減衰チャンバーの実施形態の側面断面図である。電子オーディオ装置３００は、エンクロージャー３０２を備え、そこに配置されたフレーム３０６にスピーカ３０４がマウントされる。スピーカ３０４のフェース３１０から放射される音波３１４は、音響出力経路３１２の出口ポート３２６を通してエンクロージャー３０２の音響出力ポート３０８へ進行する。減衰チャンバー３１８は、スピーカ３０４の上流で音響出力経路３１２の端に形成される。ある実施形態では、音響出力経路３１２及び減衰チャンバー３１８は、フレーム３０６とは個別に形成されてフレーム３０６にマウントされるが、他の実施形態では、音響出力経路３１２、減衰チャンバー３１８及びフレーム３０６が、モールディング、等により、単一片として一体的に形成される。この実施形態では、減衰チャンバー３１８は、音響出力経路３１２の特定の共振周波数を減衰するように構成される。この点に関して、減衰チャンバー３１８は、ネック部分３２４により音響出力経路３１２の端に接続されたチャンバー部分３２２を含む。ネック部分３２４は、音響出力経路３１２の第１の共振周波数を減衰するように構成される。例えば、ネック部分３２４は、第１の共振周波数を減衰するのに適するように、チャンバー部分３２２に対して細い断面サイズを有する。しかしながら、ネック部分３２４のサイズ及び形状は、ネック部分３２４が減衰するよう設計される共振周波数に基づいて変化することが意図される。ある実施形態では、音響減衰材３１６は、ネック部分３２４内に配置される。
【００１８】
図４は、音響出力経路及び減衰チャンバーの実施形態の側面断面図である。電子オーディオ装置４００は、図３を参照して述べた電子オーディオ装置３００と実質的に同様であるが、この実施形態では、音響出力経路４１２は、２つ以上の減衰チャンバーを含む。特に、電子オーディオ装置４００は、スピーカ４０４がフレーム４０６にマウントされたエンクロージャー４０２を備えている。スピーカ４０４のフェース４１０から放射される音波４１４は、音響出力経路４１２の出口ポート４２６を通してエンクロージャー４０２の音響出力ポート４０８へ進行する。音響出力経路４１２は、スピーカ４０４から上流に音響出力経路４１２の一部分に沿って形成された減衰チャンバー４１８ａ及び４１８ｂを含む。ある実施形態では、音響出力経路４１２及び減衰チャンバー４１８ａ、４１８ｂは、フレーム４０６とは個別に形成されてフレーム４０６にマウントされる一方、他の実施形態では、音響出力経路４１２、減衰チャンバー４１８ａ、４１８ｂ、及びフレーム４０６は、モールディング等により単一片として一体的に形成される。減衰チャンバー４１８ａ、４１８ｂは、フェース４２０に対向する音響出力経路４１２のフェース４２０に沿って形成されて示されているが、減衰チャンバー４１８ａ、４１８ｂは、スピーカ４０４の上流にある音響出力経路の一部分に沿って形成されてもよいことが意図される。例えば、減衰チャンバー４１８ａは、音響出力経路４１２の端に形成され、そして減衰チャンバー４１８ｂは、音響出力経路４１２のフェース４２０に沿って形成される。減衰チャンバー４１８ａは、チャンバー部分４２２ａがネック部分４２４ａによって音響出力経路４１２に接続されている。同様に、減衰チャンバー４１８ｂは、チャンバー部分４２２ｂがネック部分４２４ｂによって音響出力経路４１２に接続されている。他の実施形態では、減衰チャンバー４１８ａ、４１８ｂが異なる形状を有してもよい。更に、２つの減衰チャンバー４１８ａ、４１８ｂが例示されているが、３つ以上又は２つ未満のチャンバーが使用されてもよいことが意図される。
【００１９】
ネック部分４２４ａ及び４２４ｂは、音響出力経路４１２の特定の共振周波数を減衰するように構成される。例えば、一実施形態において、ネック部分４２４ａは、音響出力経路４１２の第１の共振周波数を減衰するように構成され、そしてネック部分４２４ｂは、音響出力経路４１２の第２の共振周波数を減衰するように構成される。この点に関して、ネック部分４２４ａ及び４２４ｂの各々は、互いに且つチャンバー部分４２２ａ及び４２２ｂとは各々異なる断面サイズを有する。例えば、第１の共振周波数が第２の共振周波数より低い場合には、ネック部分４２４ａが長く且つ細く、そしてチャンバー部分４２２ａは、ネック部分４２４ｂ及びチャンバー部分４２２ｂより各々大きい断面サイズ（即ち、大きい容積）を有する。しかしながら、ネック部分４２４ａ及び４２４ｂのサイズ及び形状は、ネック部分４２４が減衰すべく設計された共振周波数に基づいて変化することが意図される。ネック部分４２４ａ及び４２４ｂ内には、音響減衰材４１６ａ及び４１６ｂが各々配置される。
【００２０】
図５は、上述したスピーカ、及び減衰チャンバーを有する音響経路が具現化される電子オーディオ装置の一実施形態の構成コンポーネントの幾つかを示すブロック図である。この電子オーディオ装置５００は、内蔵スピーカシステムを有する多数の異なる形式のデスクトップ電子装置の１つ、例えば、デスクトップコンピュータ又はテレビジョンである。
この点について、電子オーディオ装置５００は、メインプロセッサ５１２を備え、これは、カメラ回路５０６、記憶装置５０８、メモリ５１４、ディスプレイ５２２、及びユーザ入力インターフェイス５２４と相互作用する。又、メインプロセッサ５１２は、通信回路５０２、光学ドライバ５０４、電源５１０、スピーカ５１８、及びマイクロホン５２０とも相互作用する。電子オーディオ装置５００の種々のコンポーネントは、デジタルで相互接続され、そしてメインプロセッサ５１２により実行されるソフトウェアスタックにより使用され又は管理される。図示され又はここに説明されるコンポーネントの多くは、１つ以上の専用ハードウェアユニット及び／又はプログラム型プロセッサ（例えば、メインプロセッサ５１２のようなプロセッサにより実行されるソフトウェア）として具現化される。
【００２１】
メインプロセッサ５１２は、記憶装置５０８内で見つかるインストラクション（ソフトウェアコード及びデータ）を実行することにより、装置５００で具現化される１つ以上のアプリケーション又はオペレーティングシステムプログラムのオペレーションの幾つか又は全部を遂行することにより、装置５００の全オペレーションをコントロールする。プロセッサは、例えば、ディスプレイ５２２を駆動し、そしてユーザ入力インターフェイス５２４を通してユーザ入力を受け取る。加えて、プロセッサ６１２は、スピーカ６１８へオーディオ信号を送信して、スピーカ６１８のオペレーションを容易にする。
【００２２】
記憶装置５０８は、不揮発性ソリッドステートメモリ（例えば、フラッシュ記憶装置）及び／又は可動不揮発性記憶装置（回転磁気ディスクドライブ）を使用して、比較的大量の「永久」データ記憶を与える。記憶装置５０８は、ローカル記憶装置、及びリモートサーバーの記憶スペースの両方を含む。又、記憶装置５０８は、装置５００の異なるファンクションをより高いレベルでコントロールし管理するデータ及びソフトウェアコンポーネントを記憶する。
【００２３】
記憶装置５０８に加えて、メインメモリ又はプログラムメモリとも称されるメモリ５１４があり、これは、メインプロセッサ５１２により実行される記憶されたコード及びデータへの比較的高速のアクセスを与える。メモリ５１４は、ソリッドステートランダムアクセスメモリ（ＲＡＭ）、例えば、スタティックＲＡＭ又はダイナミックＲＡＭを含む。例えば、メインプロセッサ５１２のような１つ以上のプロセッサがあり、これは、記憶装置５０８に永久的に記憶される間にメモリ５１４へ実行のために転送されて上述した種々のファンクションを遂行する種々のソフトウェアプログラム、モジュール、又はインストラクション（例えば、アプリケーション）のセットをランさせ又は実行する。これらのモジュール又はインストラクションは、個別のプログラムとして具現化される必要はなく、むしろ、組み合わされるか、又は種々の組み合わせで再アレンジされてもよいことに注意されたい。更に、あるファンクションの実行可能性を、２つ以上のモジュール間に分散させたり、おそらく、あるハードウェアと組み合わせたりすることもできる。
【００２４】
装置５００は、通信回路５０２を備えている。通信回路５０２は、データ転送のようなワイヤード又はワイヤレス通信に使用されるコンポーネントを含む。例えば、通信回路５０２は、装置５００のユーザがワイヤレスローカルエリアネットワークを通してデータを転送できるようにＷｉ−Ｆｉ通信回路を含む。
【００２５】
又、装置５００は、装置５００のデジタルカメラファンクションを実施するカメラ回路５０６も備えている。１つ以上のソリッドステート画像センサが装置５００に組み込まれており、その各々は、各レンズを含む光学システムの焦点面に配置される。カメラの視野内のシーンの光学画像が画像センサに形成され、センサは、それに応答して、ピクセルより成るデジタル画像又はピクチャーの形態でシーンを捕獲し、それらのピクセルは、次いで、記憶装置５０８に記憶される。カメラ回路５００は、シーンのビデオ画像を捕獲するのに使用される。
【００２６】
又、装置５００は、例えば、ソフトウェアを装置５００にインストールするのに使用されるＣＤ又はＤＶＤ光学ディスクドライブのような光学ドライブ５０４も備えている。
【００２７】
図６は、上述したスピーカドライバ、及び減衰チャンバーを有する音響経路が具現化される電子装置の別の実施形態の構成コンポーネントの幾つかを示すブロック図である。この装置６００は、通常の使用中にユーザの手で容易に保持できる多数の異なる形式の消費者向け電子装置の１つである。特に、装置６００は、スピーカ装備の移動装置、例えば、セルラーホン、スマートホン、メディアプレーヤ、又はタブレット状のポータブルコンピュータであり、それらは、全て、内蔵スピーカシステムを有する。
【００２８】
この点に関して、電子オーディオ装置６００は、プロセッサ６１２を備え、これは、カメラ回路６０６、モーションセンサ６０４、記憶装置６０８、メモリ６１４、ディスプレイ６２２、及びユーザ入力インターフェイス６２４と相互作用する。又、プロセッサ６１２は、通信回路６０２、一次電源６１０、スピーカ６１８、及びマイクロホン６２０とも相互作用する。電子オーディオ装置６００の種々のコンポーネントは、デジタルで相互接続され、そしてプロセッサ６１２により実行されるソフトウェアスタックにより使用され又は管理される。図示され又はここに説明されるコンポーネントの多くは、１つ以上の専用ハードウェアユニット及び／又はプログラム型プロセッサ（例えば、プロセッサ６１２のようなプロセッサにより実行されるソフトウェア）として具現化される。
【００２９】
プロセッサ６１２は、記憶装置６０８内で見つかるインストラクション（ソフトウェアコード及びデータ）を実行することにより、装置６００で具現化される１つ以上のアプリケーション又はオペレーティングシステムプログラムのオペレーションの幾つか又は全部を遂行することにより、装置６００の全オペレーションをコントロールする。プロセッサは、例えば、ディスプレイ６２２を駆動し、そしてユーザ入力インターフェイス６２４（単一のタッチ感知ディスプレイパネルの一部分としてディスプレイ６２２と一体化されてもよい）を通してユーザ入力を受け取る。加えて、プロセッサ６１２は、スピーカ６１８へオーディオ信号を送信して、スピーカ６１８のオペレーションを容易にする。
【００３０】
記憶装置６０８は、不揮発性ソリッドステートメモリ（例えば、フラッシュ記憶装置）及び／又は可動不揮発性記憶装置（回転磁気ディスクドライブ）を使用して、比較的大量の「永久」データ記憶を与える。記憶装置６０８は、ローカル記憶装置、及びリモートサーバーの記憶スペースの両方を含む。又、記憶装置６０８は、装置６００の異なるファンクションをより高いレベルでコントロールし管理するデータ及びソフトウェアコンポーネントを記憶する。
【００３１】
記憶装置６０８に加えて、メインメモリ又はプログラムメモリとも称されるメモリ６１４があり、これは、プロセッサ６１２により実行される記憶されたコード及びデータへの比較的高速のアクセスを与える。メモリ６１４は、ソリッドステートランダムアクセスメモリ（ＲＡＭ）、例えば、スタティックＲＡＭ又はダイナミックＲＡＭを含む。例えば、プロセッサ６１２のような１つ以上のプロセッサがあり、これは、記憶装置６０８に永久的に記憶される間にメモリ６１４へ実行のために転送されて上述した種々のファンクションを遂行する種々のソフトウェアプログラム、モジュール、又はインストラクション（例えば、アプリケーション）のセットをランさせ又は実行する。
【００３２】
装置６００は、通信回路６０２を備えている。通信回路６０２は、両方向会話及びデータ転送のようなワイヤード又はワイヤレス通信に使用されるコンポーネントを含む。例えば、通信回路６０２は、装置６００のユーザがワイヤレス通信ネットワークを通してコールを発信し又は受信できるように、アンテナに結合されたＲＦ通信回路を含む。ＲＦ通信回路は、セルラーネットワークを通してコールを可能にするためにＲＦトランシーバ及びセルラー基本帯域プロセッサを含む。例えば、通信回路６０２は、装置６００のユーザがボイスオーバーインターネットプロトコル（ＶＯＩＰ）接続を使用してコールを発信又は開始し、ワイヤレスローカルエリアネットワークを通してデータを転送するように、Ｗｉ−Ｆｉ通信回路を含む。
【００３３】
装置６００は、装置６００の動きを検出するのに使用される慣性センサとも称されるモーションセンサ６０４を備えている。モーションセンサ６０４は、位置、方向又は動き（ＰＯＭ）センサ、例えば、加速度計、ジャイロスコープ、光センサ、赤外線（ＩＲ）センサ、接近センサ、容量性接近センサ、音響センサ、ソニック又はソナーセンサ、レーダーセンサ、画像センサ、ビデオセンサ、グローバルポジショニング（ＧＰＳ）検出器、ＲＰ検出器、ＲＦ又は音響ドップラー検出器、コンパス、磁気メータ、又は同様のセンサを含む。例えば、モーションセンサ６０４は、周囲光の強度又は周囲光の強度の突然の変化を検出することにより装置６００の動き又は動きの不存在を検出する光センサである。モーションセンサ６０４は、装置６００の位置、方向及び動きの少なくとも１つに基づき信号を発生する。この信号は、動きの特性、例えば、加速度、速度、方向、方向変化、期間、振幅、頻度、又は動きの他の特性を含む。プロセッサ６１２は、センサ信号を受信し、そしてセンサ信号に一部分基づいて装置６００の１つ以上のオペレーションをコントロールする。
【００３４】
又、装置６００は、装置６００のデジタルカメラファンクションを実施するカメラ回路６０６も備えている。１つ以上のソリッドステート画像センサが装置６００に組み込まれており、その各々は、各レンズを含む光学システムの焦点面に配置される。カメラの視野内のシーンの光学画像が画像センサに形成され、センサは、それに応答して、ピクセルより成るデジタル画像又はピクチャーの形態でシーンを捕獲し、それらのピクセルは、次いで、記憶装置６０８に記憶される。カメラ回路６００は、シーンのビデオ画像を捕獲するのにも使用される。
【００３５】
又、装置６００は、一次電源として、内蔵バッテリのような一次電源６１０も備えている。
【００３６】
幾つかの実施形態を添付図面に示して説明したが、それらの実施形態は、単なる例示に過ぎず、それに限定されるものではなく、且つここに開示する実施形態は、図示して説明した特定の構造及び配列に限定されないことを理解されたい。というのは、当業者であれば、種々の他の変更が明らかとなるからである。例えば、ダクトの形状の音響出力経路が添付図面に示されたが、音響出力経路は、例えば、コンピュータキーボードのような電子装置の種々のコンポーネント内で具現化できる長方形、方形、円形、又は楕円形のようないかなる形状でもよいことが意図される。従って、この説明は、それに限定されるものではなく、例示に過ぎないとみなすべきである。
【符号の説明】
【００３７】
１００：電子オーディオ装置
１０２：エンクロージャー
１０４：スピーカ
１０６：フレーム
１０８：音響出力ポート
１１２：音響出力経路
１１４：音波
１１６：音響減衰材
１１８：減衰チャンバー
１２６：出口ポート
１２８：ディスプレイ
１３０：ユーザ
２０２：側壁
３００：電子オーディオ装置
３１８：減衰チャンバー
３２４：ネック部分
４００：電子オーディオ装置
４１８ａ、４１８ｂ：減衰チャンバー
４２４ａ、４２４ｂ：ネック部分
５０２：通信回路
５０４：光学ドライブ
５０６：カメラ回路
５０８：記憶装置
５１０：電源
５１２：メインプロセッサ
５１４：メモリ
５１８：スピーカ
５２０：マイクロホン
５２２：ディスプレイ
５２４：ユーザ入力インターフェイス
６０２：通信回路
６０４：モーションセンサ
６０６：カメラ回路
６０８：記憶装置
６１０：一次電源
６１２：プロセッサ
６１４：メモリ
６１８：スピーカ
６２０：マイクロホン
６２２：ディスプレイ
６２４：ユーザ入力インターフェイス
【図１】
2015073323.tif 000003
【図２】
2015073323.tif 000004
【図３】
2015073323.tif 000005
【図４】
2015073323.tif 000006
【図５】
2015073323.tif 000007
【図６】
2015073323.tif 000008